(57)【要約】【課題】振動吸収効果と重み付け効果の両方を有するゴルフクラブヘッド構造を提供する。【解決手段】本体と弾性重量調整体を含む弾性重量調整体を有するゴルフクラブヘッドが提供される。本体は、打撃表面を有し、弾性重量調整体は、振動吸収効果と重み付け効果の両方を有するように本体に固定され、それによって、このゴルフクラブヘッドの全体的な振動吸収効果を効果的に増加し、ゴルフクラブヘッドの付加価値を増加し、ユーザに多様な選択性と便利さとを提供する。【選択図】図１
0003129489.tif 000002
【実用新案登録請求の範囲】
【請求項１】
弾性重量調整体を有するゴルフクラブヘッドであって、
打撃面を有する本体と、
前記本体に固定された弾性重量調整体と、を備える
弾性重量調整体を有するゴルフクラブヘッド。
【請求項２】
前記弾性重量調整体は、接着又は埋め込みによって前記本体へ接合される、請求項１に記載の弾性重量調整体を有するゴルフクラブヘッド。
【請求項３】
前記弾性重量調整体は高比重金属材料と弾性材料によって形成された材料より造られる、請求項１に記載の弾性重量調整体を有するゴルフクラブヘッド。
【請求項４】
前記高比重金属材料は、タングステン、又はタングステン合金である、請求項３に記載の弾性重量調整体を有するゴルフクラブヘッド。
【請求項５】
前記弾性材料は、ゴム材料、シリコンゴム、ポリウレタン（ＰＵ），又は熱可塑性ポリウレタン（ＴＰＵ）である、請求項３に記載の弾性重量調整体を有するゴルフクラブヘッド。
【請求項６】
前記高比重金属材料は、銅（Ｃｕ）、コバルト（Ｃｏ）、ニオブ（Ｎｂ）、鉄（Ｆｅ）、ニッケル（Ｎｉ）又はモリブデン（Ｍｏ）である、請求項３に記載の弾性重量調整体を有するゴルフクラブヘッド。
【考案の詳細な説明】
【技術分野】
【０００１】
本考案は、ゴルフクラブヘッド構造に関し、より具体的には、振動吸収構造と重み付け構造の両方を備える弾性重量調整体を有するゴルフクラブヘッドに関する。
【背景技術】
【０００２】
最近、ゴルフ製品の世界的要求を考慮して、全体の外観が新規で可変であるのみならず、機能的要求も必須である。換言すれば、ゴルフ製品において、ゴルフクラブヘッドの機能的設計は、最も重要である。従って、ゴルフ製品のゴルフクラブヘッドは、バックキャビティの無い固体クラブヘッドからバックキャビティを有するクラブヘッドへ発展され、次に、クラブヘッドのバックキャビティの周エッジへの振動吸収材料の埋め込みへ発展した。振動吸収機能を有する上記クラブヘッドは、より望ましい状態を達成するように、最も好ましい構造的設計とクラブヘッドの材料の利点を達成し、且つクラブヘッドの品質と打撃効果を向上する達成することを目的とすることは確かである。
【０００３】
しかしながら、打撃プレートとクラブヘッド本体との間に配置される弾性介在物は、振動吸収機能を有するが、それは、主にゴム材料製であり、それによって、ボールを打撃するために数回激突した後に、容易に損傷される。また、弾性介在物が、主にゴム材料製であるので、重み付け効果を達成することが不可能である。即ち、振動吸収効果と重み付け効果の両方を達成することが不可能である。更に、従来の技術では、タングステン粒子が添加されたゴム材料が、振動吸収機能と重み付け機能の両方を達成するために使用されているが、この方法は、ボールを打撃する瞬間に発生する重心移動の問題を有し、それによって、米国ゴルフ協会（ＵＳＧＡ）のゴルフスポーツ仕様に合致することが不可能であり、これは、ユーザを困惑させる。
【考案の開示】
【考案が解決しようとする課題】
【０００４】
従って、振動吸収機能を備える弾性介在物を有する従来のゴルフクラブヘッドは、構造強度が乏しいという欠点あり、振動吸収効果と重み付け効果の両方を有するゴルフクラブヘッド構造を再設計することがこの分野での研究開発の課題となっている。
【課題を解決するための手段】
【０００５】
従来の技術の上記問題に鑑み、本考案は、振動吸収機能を有する従来のゴルフクラブヘッドの弾性介在物は、構造強度が乏しく、ボールを打撃するために数回激突した後に、損傷され、従来の弾性介在物が、主にゴム材料製であるために、重み付け効果を達成することが不可能であり、ゴルフスポーツの重心移動の無い仕様に合致しないという、従来のゴルフクラブヘッドの問題を解決するためのゴルフクラブヘッド構造を提供する。
【０００６】
この問題を解決するために、本考案は、本体と弾性重量調整体を備える、弾性重量調整体を有するゴルフクラブヘッドを提供する。本体は、打撃表面を有し、且つ弾性重量調整体は本体に固定され、それによって、振動吸収効果と重み付け効果の両方を有するゴルフクラブヘッドを組み立てる。
【考案の効果】
【０００７】
本考案を実施することによって、少なくとも以下の有効性が達成される。
【０００８】
第１に、本考案は、弾性重量調整体を有するゴルフクラブヘッドを提供し、この弾性重量調整体を有するゴルフクラブヘッドを適用することによって、このゴルフクラブヘッドがボールを打つために使用される時、ゴルフクラブヘッドの全体の振動吸収効果が効果的に増加される。
【０００９】
第２に、本考案は、弾性重量調整体を有するゴルフクラブヘッドを提供し、この弾性重量調整体を有するゴルフクラブヘッドを適用することによって、振動吸収効果と重み付け効果の両方が達成され、ゴルフクラブヘッドの付加価値が増加され、且つ従来のゴルフクラブヘッドとは異なり、多様な選択性と便利さが、ユーザに提供される。
【００１０】
本考案の目的、構造的特徴、及び機能を更に理解するために、詳細な記述が、関連する実施の形態と添付の図面を通して以下に与えられる。
【００１１】
本考案の更なる適用範囲が、以下に与えられる詳細な記述から明らかとなる。しかしながら、本考案の精神と範囲内での種々の変更や修正が、この詳細な記述から当業者にとって明白であるので、本考案の好適な実施の形態を示す詳細な記述と特定の例は、単に例示に過ぎないと理解すべきである。
【考案を実施するための最良の形態】
【００１２】
最初に、図１と図２を参照すると、本考案は、本体１０と弾性重量調整体２０を含む、弾性重量調整体を有するゴルフクラブヘッドを提供する。ゴルフクラブヘッド１の本体１０は、一側表面に打撃表面１１を有し、この打撃面１１の反対側の他の側表面１２に凹部１２１とキャビィティ１２２を有する。キャビィティ１２２は、凹部１２１内に形成される。更に、弾性重量調整体２０は、接着や埋め込みによって本体１０のキャビィティ１２２に固定され、それによって、振動吸収効果と重み付け効果の両方を有するゴルフクラブヘッドを達成する。
【００１３】
更に、図３と図４を参照すると、本考案は、弾性重量調整体を有する他のゴルフクラブヘッドを提供する。ゴルフクラブヘッド１’は、本体１０’と弾性重量調整体２０’と打撃プレート３０’を含む。ゴルフクラブヘッド１’の本体１０’は、一側表面１２’に段状打撃プレート結合部１２１’と凹部１２２’を有する。凹部１２２’は、打撃プレート結合部１２１’に形成される。更に、弾性重量調整体２０’は、接着や埋め込みによって凹部１２２’に固定接合される。最後に、打撃プレート３０’は、打撃プレート結合部１２１’に固定され、それによって、振動吸収効果と重み付け効果の両方を有するゴルフクラブヘッド１’を仕上げる。また、本考案は、図５に示される構成を有するゴルフクラブヘッド１”に適用され得ることは確かである。
【００１４】
本考案は、弾性重量調整体を有するゴルフクラブヘッドを提供し、弾性重量調整体２０、２０’は、高比重金属材料と弾性材料によって形成される材料より選択される。高比重金属材料は、タングステン（Ｗ）、又はタングステン合金であり、或いは銅（Ｃｕ）、コバルト（Ｃｏ）、ニオブ（Ｎｂ）、鉄（Ｆｅ）、ニッケル（Ｎｉ）又はモリブデン（Ｍｏ）を含む。更に、弾性材料は、ゴム材料、シリコンゴム、ポリウレタン（ＰＵ），或いは熱可塑性ポリウレタン（ＴＰＵ）を含む。
【００１５】
本考案は上記のように記述されるが、本考案は、多くの方法で変化され得ることは明白である。このようなバリエーションは、本考案の精神と範囲から離間していると見做されるべきではなく、当業者に自明のこのような全ての変更は、実用新案請求の範囲内に含まれるべきである。
【図面の簡単な説明】
【００１６】
【図１】本考案の好適な実施の形態に従う弾性重量調整体を有するゴルフクラブヘッドの斜視図である。
【図２】本考案の好適な実施の形態に従う弾性重量調整体を有するゴルフクラブヘッドの概略断面図である。
【図３】本考案の他の好適な実施の形態に従う弾性重量調整体を有するゴルフクラブヘッドの概略図である。
【図４】本考案の他の好適な実施の形態に従う弾性重量調整体を有するゴルフクラブヘッドの概略断面図である。
【図５】本考案の更に他の好適な実施の形態に従う弾性重量調整体を有するゴルフクラブヘッドの概略図である。
【図１】
0003129489.tif 000003
【図２】
0003129489.tif 000004
【図３】
0003129489.tif 000005
【図４】
0003129489.tif 000006
【図５】
0003129489.tif 000007